【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
セラミック製の歯科補綴システム（１）であって、
顎骨の骨結合のために設計され、受容開口部（３１）を有するインプラント（３）と、
ボルト（４）を受容するための貫通孔（２１）を有するアバットメント（２）と、
回転止め機構と
を備え、
前記ボルトは、繊維強化熱可塑性プラスチックから製造され、アバットメント（２）とインプラント（３）とを接続するように構成され、
前記回転止め機構は、前記アバットメント（２）の近位端部に配置された第１の形状嵌め合い手段（７）、および、前記インプラント（３）の遠位端部に配置された第２の形状嵌め合い手段（８）により形成され、
前記第１の形状嵌め合い手段（７）が前記第２の形状嵌め合い手段（８）に係合したときに、前記アバットメントは、前記ボルト（４）が挿入されない状態では、前記インプラントに対し傾斜可能であるように、前記第１の形状嵌め合い手段および前記第２の形状嵌め合い手段（８、７）は、互いに所定の距離で配置され、前記ボルト（４）が挿入された状態では、前記ボルトは、前記アバットメント（２）の前記貫通孔（２１）および前記インプラント（３）の前記受容開口部（３１）内に延在し、前記ボルト（４）と、前記インプラント（３）の前記受容開口部（３１）との間に締まり嵌めが提供されることを特徴とする、
歯科補綴システム。
【請求項２】
前記アバットメント（２）の前記近位端部および前記インプラント（３）の前記遠位端部のそれぞれは支持面（６３、５４、２３、３４）を有し、前記第１の形状嵌め合い手段および前記第２の形状嵌め合い手段（８、７）は、前記支持面（６３、５４、２３、３４）に配置され、前記支持面（６３、５４、２３、３４）は、前記第１の形状嵌め合い手段（７）が前記第２の形状嵌め合い手段（８）に係合したときに、互いに接触することを特徴とする、請求項１記載の歯科補綴システム。
【請求項３】
２つの前記支持面（６３、５４、２３、３４）は、一定の角度（Ｗ２、Ｗ３）で傾斜した、平坦な円錐形デザインを有することを特徴とする、請求項２記載の歯科補綴システム。
【請求項４】
２つの前記支持面（６３、５４、２３、３４）は、接触領域にラウンドした構成を有し、２つの前記支持面（６３、５４、２３、３４）のラウンドの半径は、同じ値であることを特徴とする、請求項２または３に記載の歯科補綴システム。
【請求項５】
前記ボルト（４）は、少なくとも第１筒部（４３）および、近位方向に見て、前記第１筒部に隣接する第２筒部（４４）を有し、前記第１筒部（４３）の直径は、前記第１筒部（４３）と、前記インプラント（３）の前記受容開口部（３１）との間に締まり嵌めが生じるように、前記インプラントの前記受容開口部の直径よりも大きいことを特徴とする、請求項１〜４のいずれか１項に記載の歯科補綴システム。
【請求項６】
前記第１筒部と前記第２筒部（４４）との間の移行部分にて、前記インプラントの前記受容開口部（３１）内に配置される周方向突出部（２２）上に載置される周方向肩部（４２）が設けられ、前記締まり嵌めが前記肩部（４２）と前記周方向突出部（２２）との間に生じることを特徴とする、請求項５記載の歯科補綴システム。
【請求項７】
前記第２筒部（４４）は、その側面に、前記受容開口部（３１）内に配置される内ねじ（３３）に対応する外ねじ（４８）を有し、前記外ねじ（４８）の谷径は、前記内ねじ（３３）の谷径より小さい、または同等であることを特徴とする、請求項５または６記載の歯科補綴システム。
【請求項８】
前記第２筒部（４４）は、さらなる第３筒部（４５）に隣接し、前記第３筒部の直径は、前記インプラント（３）の前記受容開口部（３１）の直径よりも小さいか同等であることを特徴とする、請求項５〜７のいずれか１項に記載の歯科補綴システム。
【請求項９】
前記第１の形状嵌め合い手段（７）は、複数のタブ（７１）を備え、前記複数のタブ（７１）は、前記アバットメント（２、６）の前記支持面（２３、６３）から突出し、前記複数のタブ（７１）は、前記インプラント（３）の前記支持面（５４）に配置される複数の溝（８１）を備えた前記第２の形状嵌め合い手段（８）に対応していることを特徴とする、請求項２〜８のいずれか１項に記載の歯科補綴システム。
【請求項１０】
前記第１の形状嵌め合い手段（７）は、複数の溝（８１）を備え、前記複数の溝（８１）は、前記アバットメント（２、６）の前記支持面（２３、６３）に配置され、前記複数の溝（８１）は、前記インプラント（３）の前記支持面（２３、６３）から突出する複数のタブ（７１）を備えた前記第２の形状嵌め合い手段（８）に対応していることを特徴とする、請求項２〜８のいずれか１項に記載の歯科補綴システム。
【請求項１１】
前記タブ（７１）は、縦タブ壁および横タブ壁（７３、７２）を有し、前記溝は、横溝壁および縦溝壁（８２、８３）を有し、
それによって、前記第１の形状嵌め合い手段（７）が前記第２の形状嵌め合い手段（８）に係合したときに、前記縦タブ壁（７２）および前記縦溝壁（８２）は、互いに所定の距離で配置され、この距離は、前記横タブ壁（７３）と前記横溝壁（８３）との間の距離よりも大きく、それによって、前記アバットメント（２）は、前記インプラント（３）内で回転方向に安定して位置決め可能で、前記インプラント（３）に対し傾斜可能であることを特徴とする、請求項９または１０記載の歯科補綴システム。
【請求項１２】
タブ（７１）の数が、溝（８１）の数よりも少なく、前記タブ（７１）および前記溝（８１）とは形状嵌め合い接続を形成することを特徴とする、請求項９〜１１のいずれか１項に記載の歯科補綴システム。
【請求項１３】
前記繊維強化熱可塑性プラスチックは、炭素繊維、アラミド繊維、ガラス繊維、カーボンナノチューブ、またはそれらの組み合わせからなるグループから選択される強化繊維を有することを特徴とする、請求項１〜１２のいずれか１項に記載の歯科補綴システム。
【請求項１４】
前記繊維強化熱可塑性プラスチックは、ＰＥＥＫマトリクス中の一方向炭素繊維からなることを特徴とする、請求項１３記載の歯科補綴システム。
【請求項１５】
前記ボルト（５０）、および／または、前記アバットメント（６’）の前記貫通孔（２１）の内壁（６６）に、停止要素（６４、６５）が配置され、前記ボルト（５０）は、組立て前位置にて前記停止要素（６４、６５）に一時的に係止することを特徴とする、請求項１〜１４のいずれか１項に記載の歯科補綴システム。
【請求項１６】
前記停止要素（６４、６５）は、前記貫通孔（２１）の前記内壁（６６）の狭細部分として構成され、前記組立て前位置にて、前記ボルト（５０）は、前記狭細部分に一時的に係止することを特徴とする、請求項１５記載の歯科補綴システム。
【請求項１７】
前記停止要素（６４、６５）は、前記内壁（６６）に配置される凹部として構成され、前記ボルト（５０）は、前記組立て前位置にて前記凹部に一時的に係止する突出部（６５）を有することを特徴とする、請求項１５記載の歯科補綴システム。
【請求項１８】
前記組立て前位置にて、前記ボルト（４）の前記第１筒部（４３’）は、その長さ全体に亘って、前記アバットメント（２）の前記貫通孔（２１）内に延在し、前記第２筒部（４４’）は、前記貫通孔から突出することを特徴とする、請求項１５〜１７のいずれか１項に記載の歯科補綴システム。